(57)【要約】      （修正有）【課題】室内で選択ものを干す（乾燥させる）ためには、室内にロープを張って衣類等をかけて乾かすか、タオル掛けを用いることが多い。しかし、タオル掛け（リング物干し）は、中心部に近い所は、乾かす対象物間の距離が小さくなり、内部と外部での間で乾燥にむらができる。【解決手段】乾燥させる対象物を複数の平行な物干し棒２をかける型式のタオル掛けである本発明の物干し具１において、平行な物干し棒２の一端を１方の支え棒３に回転可能な状態で固定し、平行な物干し棒２の他端を他方の支え棒３に分離可能な状態で固定する。【選択図】図３
2018117999.tif 000002
【特許請求の範囲】
【請求項１】
洗濯物を干す物干し具であって、
前記洗濯物を掛けるための複数の物干し棒と、
前記複数の物干し棒を平行に保持する、相対して配置される２つの受け棒と、
前記物干し棒の一端部を、前記一の受け棒に対して回動可能に支持する回動軸と、
前記物干し棒の他端部を、前記他の受け棒に対して係止するための係止部と、
を備える物干し具。
【請求項２】
前記おのおのの受け棒に設けられた、前記受け棒を支持する支柱と、
前記支柱を自立させるための支持脚と、
を備える請求項１に記載の物干し具。
【請求項３】
前記おのおのの受け棒が中央部において回動可能である請求項１または請求項２に記載の物干し具。
【請求項４】
前記係止部が溝状であって、前記物干し棒の他端部が溝に挿入されることにより係止される請求項１から請求項３のいずれかに記載の物干し具。
【請求項５】
前記係止部がバネにより前記物干し棒を挟み固定する請求項１から請求項３のいずれかに記載の物干し具。
【発明の詳細な説明】
【技術分野】
【０００１】
本発明は、室内で衣類、タオル等を乾燥させるための物干し具（タオル掛け）に関するものです。
【背景技術】
【０００２】
室内で洗濯ものを干す（乾燥させる）ためには、室内にロープを張って衣類等をかけて乾かすか、図１（Ａ）（Ｂ）に示すようなタオル掛けを用いることが多いようです。また、旅館等では、図２に示すような、タオル掛けが用いられる例が多くみられます。なお、旅館のタオルを乾燥する装置として、登録実用新案第３０４４３６４号に開示された技術があります。
【先行技術文献】
【特許文献】
【０００３】
【特許文献１】登録実用新案第３０４４３６４号公報
【発明の概要】
【発明が解決しようとする課題】
【０００４】
しかし、図１の形状のタオル掛けやリング物干しでは、例えば、中心部に近い所は、乾かす対象物間の距離が狭くなり、内側と外側の間の乾燥にむらができます。図１の形状の場合は、多くの洗濯ものを吊すことができません。
【０００５】
また、図２に示すようなタオル掛けにおいては、タオル等をかける複数の平行の棒の両端は２本の支えの棒に両端が固定されており、そのため、平行の棒にタオル等を上方から２つ折りにしてかける必要があります。例えば、シャツ等の下着を干す場合には、袖に棒を通すことができません。そのため、重ねた状態で干すことになり、乾燥するのに時間がかかります。
【０００６】
この問題に対して、例えば、室内に洗濯用のビニールロープを掛け渡して、洗濯したタオルを干すことがしばしば行われていますが、ビニールロープがタオルの重みで落下することもあり、洗濯物を適切に乾燥できません。ことへの解決方法として、登録実用新案第３０４４３６４号に開示された技術がありますが、大掛かりなものであり、また、上記の問題点、すなわち、シャツ等の下着を干す場合に使用する場合には、袖に棒を通すことができません。そのため、重ねた状態で干すことになり、乾燥するのに時間がかかるという問題を解決するものではありません。
【課題を解決するための手段】
【０００７】
こんなのあったらいいな〜と思って探し始めてから40年程たちましたが未だに見つかりません。何とかならないものかとあれこれ思い始め、今回このような物を考えつきました。何とか形になると嬉しいです。
【０００８】
本発明は、乾燥させる対象物を複数の平行棒をかける型式の物干し具（タオル掛け等）において、平行棒の一端を１方の支え棒に回転可能な状態で固定し、平行棒の多端を他方の支え棒に分離可能な状態で固定していることを特徴としています
【０００９】
第１の発明は、
洗濯物を干す物干し具であって、
前記洗濯物を掛けるための複数の物干し棒と、
前記複数の物干し棒を平行に保持する、相対して配置される２つの受け棒と、
前記物干し棒の一端部を、前記一の受け棒に対して回動可能に支持する回動軸と、
前記物干し棒の他端部を、前記他の受け棒に対して係止するための係止部と、
を備える物干し具である。
【００１０】
第２の発明は、第１の発明において
前記おのおのの受け棒に設けられた、前記受け棒を支持する支柱と、
前記支柱を自立させるための支持部と、
を備える物干し具である。
【００１１】
第３の発明は、第１または第２の発明において、
前記おのおのの受け棒が中央部において回動可能である物干し具である。
【００１２】
第４の発明は、第１〜第３の何れかの発明において、
前記係止部が溝状であって、前記物干し棒の他端部が溝に挿入されることにより係止される物干し具である。
【００１３】
第５の発明は、第１〜第３いずれかの発明において、
前記係止部がバネにより前記物干し棒を挟み固定する物干し具である。
【発明の効果】
【００１４】
本発明により、
（１）赤ちゃんや幼児の肌着、Tシャツ、パンツ、靴下等を干すのに便利である。リング物干しより風が均一に当たるので乾きが早い。
（２）下着を外に干す時（特に若い女性物等）他人にできるだけ見られないように干す工夫ができる
（３）高齢者に便利である。年を重ね、腰、肩、手等を痛め、日常生活に不便を感じるようになります。高い位置にある物干しに手が届かなくなったり、届いたとしても力が入らず、洗濯バサミをうまく使えなくなったりします。結果、天気が良いのに外に洗濯物を干すことができないということもでてきます（洗濯バサミを使っていないので風に飛ばされるという心配もあります）。低い位置での物干しができれば身体的にも楽になり洗濯も苦にならなくなると思います。これから高齢者（一人暮らしも）がますます多くなると思います。他者にも迷惑をかけず自分の下着くらいはお風呂のついでに洗い干すようにしたいものだと常々思っております。（その様な時にも便利に使えるものだと思います）
【００１５】
（４）オリンピックを控え、ホテルや旅館等もますます増えることと思います。客室（洗面所等）に物干しが置いてあれば利用者にはきっと喜ばれると思います（タオル干しが置いてあるのは見たことはありますが、タオルが２、３本干せる程度のものでした）。旅行者は身軽に荷物は出来るだけ少なくしたいものです。少ない荷物を効率良く使えるにこしたことはありません。そのためにも物干しがあれば、お風呂時等に洗濯し、効率良く使える一助にもなると思います。
【００１６】
また部屋の湿度を保つために、風呂場のドアを開け放しにしたり、バスタオルを椅子の背にかけたりする人もいますが、この物干しならば部屋に持ち運ぶ事もでき、洗濯物を乾かすのと湿度を保つのと同時にできて、これも効率を上げる一助になるかと思われます。その他高齢者施設、病院等多くの人に利用してもらえる物になると思います。
【図面の簡単な説明】
【００１７】
【図１】従来の室内で使用するハンガーの例を示します。
【図２】従来の室内で使用するハンガーの他の例を示します。
【図３】本発明の物干し具を示します。
【図４】本発明の物干し具において、物干し棒が回転できる構造を示す図です。
【図５】本発明の物干し具において、支え棒に設けた凹部(L字型)を示す図です。
【図６】図５のL字型凹部を備えた例の中央部で折れ曲がる場合です。
【図７】図５のL字型凹部を備えた例の中央部で折れ曲がらない場合です。
【図８】本発明の物干し具における、支え棒に設けた他の凹部(斜め型)を示す図です。
【図９】本発明の物干し具における、支え棒に設けた他の凹部(垂直型)を示す図です。
【図１０】本発明の物干し具において、バネを設けた例を示す図です。
【図１１】本発明の物干し具において、バネを設けた例を示す他の図です。
【発明を実施するための形態】
【００１８】
図１、図２に従来の物干し具を示します。これらには、先にのべましたような欠点があります。
【００１９】
図３に本発明の（室内）物干し具１を示します。タオル等の乾燥させるものをかけるための物干し棒２を６本備えています。この６本の物干し棒２は、その両端部が支え棒３に支持されています。支え棒３は中央部３１で支柱４に支えられており、縦棒４の下部は、支持部５で支持されています。なお、支え棒３は中央部３１で回転可能な構造にすることにより、使用していない場合に折りたたむことができます。
【００２０】
物干し棒２は、図４に示すように、支え棒３に回転できる構造３２で固定されています。他端は、図５に示すように、支え棒３に設けた窪み（凹部）３３に取り外しが可能な状態で固定されています。この場合の凹部３３はL字型です。  
【００２１】
図６に図５に示しましたL字型凹部３３の配置を示します。この図の場合は、受け棒３は中央部３１で矢印の方向に折れ曲がる形状です。折り曲げることにより、使用していない場合に必用とするスペースが少なくなります。Ｌ字型の凹部３３にした理由は受け棒３を矢印の方向に傾けた場合に、物干し棒２が受け棒３から外れないようにするためです。
中央部３１で折り曲げられる構造の場合は、凹部３３の形状は左右対称にします。
【００２２】
図７に、受け棒３が折れ曲がらない場合の例を示しました。矢印は受け棒３の回転方向を示します。Ｌ字型はすべて同一方向に向いています。
図８は、斜め型の凹部３３の例です。この図の場合も受け棒３は中央部３１で矢印の方向に、折れ曲がる形状です。
【００２３】
図９は、垂直型の凹部３３の例です。この場合は受け棒３が垂直になると、物干し棒２が外れる場合があります。なお、凹部３３の入り口を曲面にすることにより、物干し棒２が受け棒３に入りやすくなりますが、それはすべての凹部３３で共通です。
【００２４】
図１０は受け棒３に物干し棒２を止めるためのバネ６を着けた例です。この図の上方向より、物干し棒２を押し込みます。このバネ６をつける場合は、図１１に示しますように物干し棒２の両端の棒を受け棒３に固定して矩形とし、内側の物干し棒２のみを脱着可能とすることで、支柱４の代わりに、矩形の枠体を鎖等でつるす（バネつけた側を下側にして）ことも可能になります。図中の矢印は物干し棒２を外す方向です。
【００２５】
なお、図３に示しました物干し具１は、受け棒３が支柱４で支えられていますが、受け棒棒３の両端部で支える場合も本発明の範囲です。
【００２６】
本発明の物干し具１は、昔からある物干し竿のように、袖、下着等の中に棒を通して使うこともできます。また、前もってループ付の洗濯バサミを物干し棒２に通しておくことで靴下、ハンカチ，赤ちゃんの小物、女性の下着等を簡単に干すことができ、乾きも速く便利に使用できると思います。特に女性の下着は、リング物干し等を使い、高い位置に干すよりは、人目似つきにくく、安心してより安全に干すことが出来ると思います。
【符号の説明】
【００２７】
１  本発明の物干し具
２  物干し棒
３  支え棒
３１  支え棒の中央部
３２  物干し棒の回転部
３３  凹部
４  支柱
５  支持脚
６  バネ
【図１】
2018117999.tif 000003
【図２】
2018117999.tif 000004
【図３】
2018117999.tif 000005
【図４】
2018117999.tif 000006
【図５】
2018117999.tif 000007
【図６】
2018117999.tif 000008
【図７】
2018117999.tif 000009
【図８】
2018117999.tif 000010
【図９】
2018117999.tif 000011
【図１０】
2018117999.tif 000012
【図１１】
2018117999.tif 000013